(57)【要約】【課題】特定周波数の音波に限定することなく、広い帯域にわたる騒音音波を効率良く消音する消音装置を提供する。【解決手段】消音装置本体ケーシングの上部後方から下部前方にかけて連続して形成した曲面部に複数の開口を設け、この開口の短手方向の開口寸法を徐々に異ならせて可聴音帯域の中の所定周波数に適した開口寸法の開口を形成する。また、開口部に音波の反射板と音波導入板を設け、音波の回折と反射の両現象を利用して騒音音波を捕捉し消音する。【選択図】図２
2008015069.tif 000002
【特許請求の範囲】
【請求項１】
騒音源から到達する騒音の音圧を低減する消音装置において、
内側に所定容積の空間を備える本体ケーシングと、
前記本体ケーシング内側にグラスウール等の繊維質材または多孔質材を収容してなる消音室と、
前記本体ケーシングの上部後方から下部前方に連続した曲面部を形成すると共に、この曲面部に複数設ける細長形状の開口と、を備え、
本体ケーシングの曲面部に形成する複数の開口の短手方向の開口寸法を、本体ケーシングの上部後方から下部前方に向かって異ならせることを特徴とする消音装置。
【請求項２】
請求項１記載の消音装置において、平面形状の音波導入板を前記開口の下縁から本体ケーシング内側方向に取り付けたことを特徴とする消音装置。
【請求項３】
請求項１または２何れか記載の消音装置において、曲面形状の反射板を前記開口の上縁から本体ケーシング内側方向に取り付けたことを特徴とする消音装置。
【請求項４】
請求項３記載の消音装置において、前記反射板が楕円形状であることを特徴とする消音装置。
【請求項５】
請求項４記載の消音装置において、前記音波導入板の前記開口下縁側の端部が前記反射板の第１の焦点に位置し、前記音波導入板の本体ケーシング内側の端部が前記反射板の第２の焦点に位置することを特徴とする消音装置。
【発明の詳細な説明】
【技術分野】
【０００１】
本発明は、騒音源から発生する騒音を低減させる防音壁の上部に取り付けられる消音装置に関するものである。
【背景技術】
【０００２】
従来、自動車、工事現場、その他の騒音源から発生する騒音を防ぐ手段の一つとして防音壁が良く知られている。透光性の樹脂板や金属製の金属部材からなる壁体を道路脇や工事現場の周囲に設置し、壁の一方で発生する騒音が他方へ直接伝わらないようにするものであり、壁の高さを高くするほど遮音効果が上がるとされ、都市部では建物の高層化もあって防音壁はますます高くなる傾向にある。しかしながら、防音壁を高くすると建設コスト・維持管理コストの上昇が伴うと共に、防音壁近隣に与える日照障害や景観を損なうといった問題も発生するため、出来る限り壁の高さを上げずに遮音性を高める試みがなされている。
【０００３】
例えば下記特許文献１には、防音壁の上部に取り付ける消音装置であって、音波反射板と、回折抑制板と、音波干渉器とを備え、騒音源から到達する騒音音波を音波反射板と回折抑制板の両作用により音波干渉器内部に導いて音波のエネルギーを低減させる装置が開示されている。同提案は、防音壁の上部で回折し壁の裏側へ回り込もうとする音波を回折抑制板で捕らえ、回折抑制板に沿って音波干渉器内部に導くものであり、回折抑制板で捕らえられなかった音波は音波反射板で反射させることによって音波干渉器内部に導くものである。
【特許文献１】特開２００５−３１５９９号
【発明の開示】
【発明が解決しようとする課題】
【０００４】
上記先行技術によれば、防音壁の一方の側から他方の側へ向かって伝わる音波を壁の上端付近において音波の回折現象と反射現象を利用して補足するので、効果的に騒音音波のエネルギーを低減させることができる。そして、同先行例の中では、音波反射板と回折抑制板とで形成する開口を平行に複数段にわたって形成する例が開示されており、そのような多段構成とすることによって、壁の一方の側から他方の側へ伝わろうとする音波を壁の上端付近で回折して回り込む直前に補足することが可能であるとされている。
【０００５】
ところで、上記先行技術では、複数形成される開口のそれぞれはほぼ同じ開口寸法でかつ同じ構造のものを多段状に重ねるようにしているが、このような構造の場合、防音壁の上部において回折して伝わる音を効果的に補足できていない可能性があった。可聴音帯域の低周波の音波をより効率的に音波干渉器内に導入するには、音波反射板と回折抑制板とで形成する開口の寸法（特に縦方向の寸法）は大きい方が望ましく、また相対的に高い周波数の音と比較すると低い周波数の音は消音が困難であることを考えれば、低い周波数に合わせた比較的大きな開口寸法を採用するのは自然な流れである。しかし、開口寸法が大きくなるということはすなわち開口の数が少なくなることを意味する。そして、開口の数が少ないということは開口を構成する回折抑制板の数も少ないということであり、結果的に、騒音音波を音波干渉器内部に導くための回折現象を行わせる起点となる回折点の数も減ってしまうのである。
【０００６】
本発明はこのような点に対処してなされたものであり、その課題とするところは、防音壁の上部に設置し、音波の回折と反射を利用することで騒音音波を補足して消音する装置であって、低い周波数から高い周波数まで対応しながら音波を補足する動作のきっかけとなる回折点の数を十分に確保した消音装置を提供できないかという点にある。
【課題を解決するための手段】
【０００７】
本発明は、上記課題を解決するために、（１）騒音源から到達する騒音の音圧を低減する消音装置において、内側に所定容積の空間を備える本体ケーシングと、前記本体ケーシング内側にグラスウール等の繊維質材または多孔質材を収容してなる消音室と、前記本体ケーシングの上部後方から下部前方に連続した曲面部を形成すると共に、この曲面部に複数設ける細長形状の開口と、を備え、本体ケーシングの曲面部に形成する複数の開口の短手方向の開口寸法を、本体ケーシングの上部後方から下部前方に向かって異ならせることを特徴とする消音装置を提案する。
【０００８】
上記提案の消音装置は、平面形状の音波導入板を前記開口の下縁から本体ケーシング内側方向に取り付けるのが望ましい。
【０００９】
また、上記提案の消音装置は、曲面形状の反射板を前記開口の上縁から本体ケーシング内側方向に取り付けるのが望ましい。
【００１０】
また、上記提案の消音装置は、前記反射板が楕円形状であることが望ましい。
【００１１】
また、上記提案の消音装置は、前記音波導入板の前記開口下縁側の端部が前記反射板の第１の焦点に位置し、前記音波導入板の本体ケーシング内側の端部が前記反射板の第２の焦点に位置することが望ましい。
【発明の効果】
【００１２】
本発明によれば、消音装置本体ケーシングの上部後方から下部前方にかけて連続して形成した曲面部に複数の開口を設け、その開口の短手方向の開口寸法を徐々に異ならせるので、騒音源から到達する音波を補足するのに、可聴音帯域の低音域から高音域の音波に対応した開口寸法の開口を形成することができる。したがって、特定の周波数だけでなく幅を持った帯域にわたる周波数成分を持つ騒音に対しても効果的にそのエネルギーを低減させることができる。
【００１３】
また、上記開口の下縁から本体ケーシング内側に向かって平面形状の音波導入板を取り付けるので、騒音源から直接到来した音波や、防音壁にいったん当たった後に壁の上部において壁の裏側へ回り込もうとする音波が、開口下縁に現れる音波導入板の端部を回折点として回折現象を起こし本体ケーシング内側の消音室へと入り込む。したがって、開口の短手方向の開口寸法を徐々に異ならせる構造と相まって、本体ケーシングの上部から前部にかけてこれまでより回折点の数を増やすことができ、消音効果を高めることができる。
【００１４】
また、上記開口の上縁から本体ケーシング内側に向かって曲面形状の反射板を取り付けるので、防音壁に当たることなく騒音源から直接到来した音波や、上記音波導入板で補足できなかった音波を、この反射板により消音室内部へ向けて反射させることができ、消音効果を高めることができる。
【００１５】
また、上記反射板を楕円形状とし、２箇所に現れる焦点のうちの第１の焦点の位置に上記音波導入板の開口下縁側端部を置き、第２の焦点の位置に音波導入板の本体ケーシング内側端部を置いているため、反射板で反射させた騒音音波を効果的に消音室内部へ導くことができ、消音効果をより高めることができる。
以下、本発明の好適な実施形態を図面を参照しながら説明する。
【実施例】
【００１６】
図１は本発明実施例に関わる消音装置の使用状態を示す説明図である。１は本発明による消音装置であり、この消音装置は、防音壁２０の上部に壁の横幅方向にわたって載置した状態で設置する。その全体構成は、扇形の縦断面形状をもつ横長中空構造の本体ケーシングと、その本体ケーシング表面に形成された横長形状の複数の開口とからなり、本体ケーシングの内部にはその開口から取り込んだ騒音音波のエネルギーを低減させる消音室が設けられている。防音壁の上部に設置する際には、消音装置本体を横から見たときに扇形の弧の部分が騒音源の方を向くように取り付け、弧に沿って形成した複数の開口が騒音源の発する音波を捕らえる方向に向ける。騒音源が発する騒音音波は防音壁２０に当たって騒音源の方向に反射されるが、騒音に含まれる低音域の音波の波長は防音壁２０の高さに対して十分に長いため（防音壁の高さ約２メートルに対して、例えば１００ヘルツの音波の波長は大体３．４メートル）、防音壁の上部において回折現象を起こして壁の裏側に回り込む。このとき、防音壁２０の上部には消音装置１が取り付けられているため、壁の裏側に回り込もうとする音波を捕らえて前記開口から消音室内へと導き、そこで音波のエネルギーを低減して消音化を図るのである。
【００１７】
次に図２を基にして消音装置の構造について詳細に説明する。図２は消音装置１の縦方向の断面を示す説明図である。２は本体ケーシングの底面を構成する底板であり、３は本体ケーシングの背面を構成する背板である。図２には全て現れていないが、消音装置本体ケーシングの両端には扇形の側板４ａ・４ｂを具備しており、この両側板と、底板２と、背板３とで本体ケーシングの側面、底面、背面を形作り、上部後方から下部前方にかけて側板の弧の形に沿って開口５が複数設けられている。この開口５は、消音装置１の横幅方向に細長い形状を有しており、本実施例では幅方向に伸びる長手寸法を１１４０ｍｍとしている。この寸法は、騒音音波の内の最も消音させたい周波数の音波の波長と関係を持たせている。本実施例の場合、最も消音させたい音波を６００ヘルツに設定しており、６００ヘルツの音波の２波長に相当する長さである５７０ｍｍ×２＝１１４０ｍｍとしているのである。なお、この場合の６００ヘルツは任意に設定した周波数であり、騒音源の種類に応じて最も消音効果を与えたい周波数を適宜設定可能であることはいうまでもない。
【００１８】
ところで、開口５は異なる２つの部材によって構成されている。図２に示すように、複数設けられる開口５は、何れの開口も反射板６と音波導入板７によって形作られており、反射板６と音波導入板７との間には本体ケーシング内側の消音室９につながる導入口８を設けている。消音室９は、底板２と、背板３と、側板４ａ・４ｂと、反射板６と、音波導入板７とで構成される空間であり、底板２の内面側や背板３の内面側にはグラスウールやロックウール等の多孔質材または繊維質材からなる吸音材１０が背後空気層を介在して貼付されると共に、導入口８から所定距離をおいた消音室内側にも吸音材１０が取り付けられている。したがって、騒音源からこの消音装置１に到達した騒音音波は、開口５と導入口８を介して消音室９に導入され、消音室内で乱反射を繰り返すことによって反射波同士がエネルギーを打ち消し合ったり、あるいは吸音材の作用で音波の持つエネルギーが低減される結果、騒音音波のエネルギーが大幅に減少して消音効果が得られるのである。もちろん、騒音源から到達する直接波や防音壁２０で回折する音波の全てをこの消音装置１で捕捉することはできず、捕捉しきれなかった騒音音波は防音対象の区域へと漏れていくが、騒音源が放った騒音のエネルギーは大幅に低減されるため、消音効果が得られるのである。尚ここで、消音室９の内壁面に対して背後空気層を介在させて吸音材１０を取り付けているが、そうすることにより、背後空気層を介在させない場合より消音効果が向上することを本出願人の試験結果により確認した。更に、導入口８から消音室の内側に所定距離をおいて吸音材１０を取り付けることにより、所定距離をおかない場合と比較して、やはり消音効果が向上することを本出願人の試験結果により確認した。
【００１９】
さて、図２に示すように、開口を構成する反射板６は、その断面形状が楕円曲線を描くように曲面形状に形成されており、一方の端部が側板４ｂの弧の縁部に合わせて固定されている。そして、反射板６の楕円形状の焦点位置を基準にして音波導入板７の位置決めを行っている。具体的には、反射板６の（楕円の）第１の焦点の位置に音波導入板７の一方の端部が位置するようにし、それと同時に、反射板６の第２の焦点の位置に音波導入板７の他方の端部が位置するようにしている。この場合、第１の焦点の位置に合わせた音波導入板７の端部が開口５の開口下縁となり、側板４ｂの弧の縁部に合わせて固定した反射板６の端部が開口５の開口上縁となる。また、反射板６の第２の焦点の位置に合わせた音波導入板７の端部が、前記導入口８の位置に相当する。
【００２０】
次に、複数設ける開口５の開口寸法について詳細に説明する。既に説明したように、本実施例の消音装置では、側板４ａ・４ｂの弧の形状に沿って開口５を複数設けているが、それらの開口は底板２の前方端（本体ケーシングの前部）から背板３の上方端（本体ケーシングの上部）にかけて短手方向の開口寸法１２・１３を徐々に短くしている。具体的な寸法を上げると、底板２の前方端に設ける開口５は開口寸法１２が１４０ｍｍ、開口寸法１３が２８５ｍｍであるが、背板３の上方端に設ける開口５は開口寸法１２を４３ｍｍ、開口寸法１３を８５ｍｍとしている。このときの各寸法値は消音させたい周波数の波長に基づいており、例えば、開口寸法１２が１４０ｍｍ、開口寸法１３が２８５ｍｍの場合は周波数６００ヘルツの波長５７０ｍｍを基にして、４分の１波長である約１４０ｍｍ、２分の１波長である２８５ｍｍとしているのである。また、開口寸法１２が４３ｍｍ、開口寸法１３が８５ｍｍの場合は周波数２キロヘルツの波長１７０ｍｍを基にして、４分の１波長である４３ｍｍ、２分の１波長である８５ｍｍとしているのである。つまりは、６００ヘルツから２キロヘルツの周波数帯域の中で消音させたい任意の周波数を決定し、その決定した周波数の波長に合わせた開口寸法の開口を複数設けているのである。開口寸法を特定の波長の２分の１または４分の１の長さに合わせることにより、その特定の波長の音波を開口に導入する効率を良くすることができる。
【００２１】
次に本発明要部の動作について説明する。まず、騒音源から放出されて消音装置１に到達した騒音音波は、消音装置の下部前方から上部後方にかけて設けられた複数の開口のそれぞれ下縁を回折点として回折現象を起こし、音波導入板７の表面に沿って各導入口８に達し、消音室９の中へ入り込む。消音室９の内部に入った音波は吸音材１０の作用でエネルギーを消耗したり、あるいは消音室内で乱反射を繰り返すことで互いにエネルギーを打ち消し合う波同士が出会い、結果として騒音源が放った騒音エネルギーが低減される。このとき、騒音源から到達する騒音音波には多くの周波数成分が含まれているが、既に説明したように、本発明では特に６００ヘルツから２キロヘルツの帯域中の特定の周波数に効率を合わせた開口が設けられているので、各開口の開口寸法に応じた波長の騒音音波が効率よく消音室９内へ導かれて消音される。なお、各開口においては、その開口寸法に対応する波長の騒音のみが消音室内へと導入されるのではなく、効率は下がるものの他の波長の音波も導入される。また、複数の開口が本体ケーシングの下部前方から上部後方に連続して並んでいるため、騒音源から到達した音波は最初に本体ケーシング前部に位置する開口に達し、そこの開口下縁に当たった音波が回折するのであるが、回折を起こさずに漏れた音波は１つ上の開口に達しそこの開口下縁（１つ下の開口の開口上縁と実質的に同位置）に当たって回折を開始し、以降同様にして各開口で回折を起こさずに漏れた音波は１つ上に位置する開口に達して回折を起こす動作を繰り返すのである。またこのとき、開口の音波導入板７で回折を起こさずに漏れた音波の一部は反射板６に当たって焦点である導入口８に向かって反射する。その結果、回折の作用だけでなく反射の作用によっても音波を消音室内に導くのである。
【００２２】
以上のように本発明では、消音装置に設ける複数の開口の開口寸法を騒音音波の波長に基づいて異ならせるので、所定の帯域にわたる騒音のエネルギーを効率良く低減させることができると共に、騒音音波が回折現象を起こす起点となる回折点を、開口寸法を全て同寸法とする場合より多く設けることができ、したがって総合的に消音効果を高めることが可能になる。
【００２３】
本発明は以上のように構成されるが、上記実施例に限定されることなく特許請求の範囲内で種々の実施が可能である。例えば、消音装置の本体ケーシング下部前方から上部後方にかけて設ける開口の数は図２の例に限定されることなく適宜設定可能である。また、開口寸法を決める際の基になる周波数についても適宜選定可能であり、さらに異なる開口寸法の開口を配列する向きや配列順も適宜設定可能であることはいうまでもない。
【図面の簡単な説明】
【００２４】
【図１】本発明実施例に関わる消音装置の使用状態を示す説明図である。
【図２】消音装置１の縦方向の断面を示す説明図である。
【符号の説明】
【００２５】
１    消音装置（本体ケーシング）
２    底板
３    背板
４ａ、４ｂ    側板
５    開口
６    反射板
７    音波導入板
８    導入口
９    消音室
１０    吸音材
１２、１３    開口の短手方向の開口寸法
２０    防音壁
【図１】
2008015069.tif 000003
【図２】
2008015069.tif 000004